(57)【要約】【課題】凹凸部を有するとともに、同凹凸部に全体とは異なる模様が施される意匠パネルの製作方法及び意匠パネルにおいて、同凹凸部の形状に対する凹凸部の模様の位置ずれを抑制する。【解決手段】意匠パネルは、孔を有するとともに、同孔に全体とは異なる模様を施す。同意匠パネルの製作方法は、固定金型５１の凸部５１ａの側面及び外縁部を覆う第一のシート材２を固定金型５１の凸部５１ａに設置し、第一のシート材２の外縁部２ｂと重なる大きさの孔３ａを形成した第二のシート材３を固定金型５１に設置し、固定金型５１と対となる可動金型５２を固定金型５１に組付け、両金型５１，５２によって形成される空洞部に溶融した樹脂４を充填する。【選択図】図１
2008213191.tif 000002
【特許請求の範囲】
【請求項１】
凹凸部を有するとともに、同凹凸部に全体とは異なる模様を施す意匠パネルの製作方法において、
前記凹凸部に対応する固定金型の凹凸部を覆う第一のシート材を同固定金型の凹凸部に設置し、同第一のシート材の外縁部と重なる大きさの孔を形成した第二のシート材をその内縁部が同第一のシート材の外縁部と重なるように同固定金型に設置し、同固定金型と対となる可動金型を同固定金型に組付け、両金型によって形成される空洞部に溶融樹脂を充填することによって製作する
ことを特徴とする意匠パネルの製作方法。
【請求項２】
請求項１に記載の意匠パネルの製作方法において、
前記第一のシート材の樹脂が充填される側の少なくとも前記第二のシート材と重なる部分にホットメルト接着剤を塗布し、前記樹脂の充填の際の熱によって同第一のシート材と同第二のシート材とを接着する
ことを特徴とする意匠パネルの製作方法。
【請求項３】
請求項１又は２に記載の意匠パネルの製作方法によって製作される
ことを特徴とする意匠パネル。
【発明の詳細な説明】
【技術分野】
【０００１】
この発明は、意匠パネルの製作方法及び意匠パネルに関する。
【背景技術】
【０００２】
車両の室内に設けられるインストルメントパネルやドア側面などの化粧面には、木目調や金属調などの意匠パネルが用いられている。この意匠パネルは、シート材と樹脂とからなっており、予め金型内にシート材を設置しておき、同金型内に樹脂を充填するインサート成形によって形成される。具体的には、図５（ａ）に示されるように、まず表面に模様などが印刷されたシート材３３をその模様などが印刷された面が固定金型５１と接触するように固定金型５１に設置する。次に、図５（ｂ）に示されるように、シート材３３が設置された固定金型５１に可動金型５２を組付け、これら金型５１，５２によって形成される空洞内に樹脂３４を射出成形などによって充填する。このようにすることにより、所望の模様及び形の意匠パネルを成形することができる。
【０００３】
なお、上記背景技術に該当する特許文献は発見できなかった。
【発明の開示】
【発明が解決しようとする課題】
【０００４】
ところで、図６に示されるように、孔３５を有するとともに、同孔３５の内側面及び周縁部に縁取り３５ａがなされた模様の意匠パネル３１の場合には、縁取り３５ａが印刷されたシート材３３を用いて、上記のようにインサート成形を行っている。しかしながら、このような方法では、図７に示されるように、樹脂３４をこれら金型５１，５２内に射出する際の圧力によってシート材３３が樹脂３４の矢印で示された進行方向に引き摺られ、シート材３３に印刷された縁取り３５ａ部分の位置が、所望の縁取り位置に対してずれてしまうことがあった。このようにシート材３３の縁取り３５ａの位置ずれが起こると、見た目が悪いため、不良品となっていた。なお、このようなシート材３３の縁取り３５ａの位置ずれは、孔３５に限らず、凹部及び凸部が形成された意匠パネルにおいても発生してしまうことがあった。ここで、これら孔及び凹部、凸部をまとめて、凹凸部という。
【０００５】
この発明は、こうした実情に鑑みてなされたものであり、その目的は、凹凸部を有するとともに、同凹凸部に全体とは異なる模様が施される意匠パネルの製作方法及び意匠パネルにおいて、同凹凸部の形状に対する凹凸部の模様の位置ずれを抑制することにある。
【課題を解決するための手段】
【０００６】
以下、上記目的を達成するための手段及びその作用効果について説明する。
請求項１に記載の発明は、凹凸部を有するとともに、同凹凸部に全体とは異なる模様を施す意匠パネルの製作方法において、前記凹凸部に対応する固定金型の凹凸部を覆う第一のシート材を同固定金型の凹凸部に設置し、同第一のシート材の外縁部と重なる大きさの孔を形成した第二のシート材をその内縁部が同第一のシート材の外縁部と重なるように同固定金型に設置し、同固定金型と対となる可動金型を同固定金型に組付け、両金型によって形成される空洞部に溶融樹脂を充填することによって製作することをその要旨としている。
【０００７】
同構成によれば、固定金型の凹凸部を覆う第一のシート材と、第一のシート材の外縁部と重なる大きさの孔を形成した第二のシート材とを用いて、凹凸部となる部分の第一のシート材が別部材となっているとともに、第一のシート材の外縁部が第二のシート材の内縁部と重なっているため、溶融した樹脂を充填する際に第一のシート材が樹脂によって引きずられることを抑制することができる。この結果、凹凸部の形状に対する凹凸部の模様の位置ずれを抑制することができる。また、凹凸部の模様部分を形成する第一のシート材と全体の模様部分を形成する第二のシート材とが別部材であるため、意匠パネルの表面において印刷では表現できない境界の雰囲気を表現することができる。ここで、凹凸部とは、孔及び凹部、凸部をまとめていう。
【０００８】
請求項２に記載の発明は、請求項１に記載の意匠パネルの製作方法において、前記第一のシート材の樹脂が充填される側の少なくとも前記第二のシート材と重なる部分にホットメルト接着剤を塗布し、前記樹脂の充填の際の熱によって同第一のシート材と同第二のシート材とを接着することをその要旨としている。
【０００９】
同構成によれば、第一のシート材と第二のシート材との間をホットメルト接着剤によって接着するため、第一のシート材と第二のシート材とが重なる部分の接着をより高めることができる。
【００１０】
請求項３に記載の発明は、請求項１又は２に記載の意匠パネルの製作方法によって製作される意匠パネルであることをその要旨としている。
同構成によれば、凹凸部の形状に対する凹凸部の模様の位置ずれを抑制した意匠パネルとすることができる。
【発明の効果】
【００１１】
本発明によれば、凹凸部を有するとともに、同凹凸部に全体とは異なる模様が施される意匠パネルの製作方法及び意匠パネルにおいて、同凹凸部の形状に対する凹凸部の模様の位置ずれを抑制することができる。
【発明を実施するための最良の形態】
【００１２】
以下、本発明にかかる孔を有するとともに、孔に全体とは異なる模様を施す意匠パネルの製作方法について図１及び図２を参照して説明する。
図２に示されるように、意匠パネル１の表面は、全体が木目調の模様となっており、孔５の内側面５ａ及び周縁部５ｂは金属調の模様に縁取りされている。すなわち、意匠パネル１は、表面に金属調の模様が印刷された第一のシート材２及び表面に木目調の模様が印刷された第二のシート材３によって上面側が形成されるとともに、樹脂４によって下面側が形成される。詳しくは、第一のシート材２は、孔５の内側面５ａを覆う両端開口した筒状の円筒部２ａ及び円筒部２ａの上部開口端縁に下側へ緩やかに湾曲するように設けられた環状の外縁部２ｂを備えてなる。円筒部２ａは意匠パネル１の孔５の内側面５ａを、外縁部２ｂは意匠パネル１の孔５の周縁部５ｂを覆うように第一のシート材２が設けられている。また、第一のシート材２の中央には、孔５と同様の大きさの孔が形成されている。第二のシート材３は、第一のシート材２の外縁部２ｂと重なる大きさの孔３ａが形成されている。第二のシート材３は、孔３ａが意匠パネル１の孔５に対応するよう樹脂４の表面に設けられている。第二のシート材３の表面において、孔３ａの内縁部３ｂには、第一のシート材２の円筒部２ａがフランジ状に重ね合わされている。
【００１３】
図１（ａ）〜図１（ｃ）に示されるように、意匠パネルは、固定金型５１と可動金型５２とからなる金型５０を用いて製作する。本実施形態では、垂直方向において、固定金型５１を可動金型５２の下側に位置するように設けている。固定金型５１には、孔を有する意匠パネルを成形するため、外径が同孔の内径と一致する凸部５１ａが形成される。可動金型５２には、内径が同凸部５１ａの外径に意匠パネルの厚みを加えた大きさの凹部５２ａが形成されている。
【００１４】
次に、意匠パネル１の製作方法について詳細を説明する。
まず、図１（ａ）に示されるように、固定金型５１の凸部５１ａの側面及び外縁部を覆うとともに、その模様などが印刷された面が固定金型５１に接するように、第一のシート材２を固定金型５１に設置する。なお、第一のシート材２は、予め意匠パネル１の形状に合わせて真空成形し、トリミングしたものである。また、第一のシート材２の外縁部２ｂの固定金型５１と接しない面には、ホットメルト接着剤６が塗布されている。
【００１５】
次に、図１（ｂ）に示されるように、同第一のシート材２の外縁部２ｂと第二のシート材３に形成した孔の内縁部３ｂとが重なるように、第二のシート材３を固定金型５１に設置する。なお、同外縁部２ｂと同内縁部３ｂとが重なる部分の間に、上記ホットメルト接着剤６が位置している。
【００１６】
次に、図１（ｃ）に示されるように、可動金型５２をその凹部５２ａの底面が固定金型５１の凸部５１ａの頂面に接触するように組付ける。そして、固定金型５１と可動金型５２によって形成される空洞部にアクリル樹脂からなる樹脂４を射出することによってインサート成形が行われる。なお、樹脂４は、アクリル樹脂に限らず、例えばポリカーボネイト樹脂やＡＢＳ樹脂等の他の樹脂でもよい。この結果、第一のシート材２及び第二のシート材３は、樹脂４の熱によって樹脂４と一体となる。また、同外縁部２ｂと同内縁部３ｂとの間に位置するホットメルト接着剤６は、樹脂４の熱によって溶け、同外縁部２ｂと同内縁部３ｂとを接着する。
【００１７】
そして、金型５０から第一のシート材２と第二のシート材３と樹脂４とが一体となったものを取り出すと、図２に示される意匠パネル１が完成する。また、金属調の模様が印刷された第一のシート材２と木目調の模様が印刷された第二のシート材３とが別部材であるため、意匠パネル１の表面において、図２中矢印で示される境界Ｂのように、印刷では表現できない境界の雰囲気を表現することができる。
【００１８】
以上、説明した実施形態によれば、以下の作用効果を奏することができる。
（１）固定金型５１の凸部５１ａの側面及び外縁部を覆う第一のシート材２と、第一のシート材２の外縁部２ｂと重なる大きさの孔を形成した第二のシート材３とを用いて、孔５となる部分の第一のシート材２が別部材となっているとともに、第一のシート材２の外縁部２ｂが第二のシート材３の内縁部３ｂと重なっている。このため、溶融した樹脂４を充填する際に第一のシート材２が樹脂４によって引きずられることを抑制することができる。この結果、孔５の形状に対する模様（縁取り）の位置ずれを抑制した意匠パネル１を製作することができる。
【００１９】
（２）孔５の模様部分を形成する第一のシート材２と全体の模様部分を形成する第二のシート材３とが別部材であるため、意匠パネル１の表面において、図２中矢印で示される境界Ｂのように、印刷では表現できない境界の雰囲気を表現することができる。
【００２０】
（３）第一のシート材２と第二のシート材３との間をホットメルト接着剤６によって接着するため、第一のシート材２と第二のシート材３とが重なる部分の接着をより高めることができる。
【００２１】
なお、上記実施形態は、これを適宜変更した以下の形態にて実施することができる。
・上記構成において、ホットメルト接着剤６を省略した構成を採用することもできる。
・上記実施形態では、第一のシート材２を金属調の模様とし、第二のシート材３を木目調の模様としたが、第一のシート材２及び第二のシート材３の各々の模様は、意匠パネル１を用いる部材や空間に合わせて所望の模様にしてもよい。
【００２２】
・上記実施形態では、孔５を有する意匠パネル１に具体化したが、図３に示される凹部１５を有する意匠パネル１１に具体化してもよい。同凹部１５を有する意匠パネル１１は、凹部１５の内面及びその外縁部を覆う第一のシート材１２を用いている。また、図４に示される凸部１５を有する意匠パネル２１に具体化してもよい。同凸部２５を有する意匠パネル２１は、凸部２５の外面及びその外縁部を覆う第一のシート材２２を用いている。
【００２３】
・また、これら孔５、凹部１５や、凸部２５の凹凸部は一つの意匠パネルに対して一つに限らず、複数形成してもよい。また、これら孔５、凹部１５や、凸部２５の凹凸部を組み合わせて形成してもよい。
【図面の簡単な説明】
【００２４】
【図１】（ａ）（ｂ）（ｃ）意匠パネルの製作方法を示す断面図。
【図２】孔を有する意匠パネルの断面図。
【図３】凹部を有する意匠パネルの断面図。
【図４】凸部を有する意匠パネルの断面図。
【図５】（ａ）（ｂ）意匠パネルの製作方法を示す断面図。
【図６】孔を有する意匠パネルの斜視図。
【図７】意匠パネルの製作方法を示す断面図。
【符号の説明】
【００２５】
１，１１，２１，３１…意匠パネル、２，１２，２２…第一のシート材、２ａ…円筒部、２ｂ…外縁部、３…第二のシート材、３ａ…孔、３ｂ…内縁部、４，３４…樹脂、５，３５…孔、５ａ…内側面、５ｂ…周縁部、６…ホットメルト接着剤、１５…凹部、２５…凸部、３３…シート材、３５ａ…縁取り、５０…金型、５１…固定金型、５１ａ…凸部、５２…可動金型、５２ａ…凹部。
【図１】
2008213191.tif 000003
【図２】
2008213191.tif 000004
【図３】
2008213191.tif 000005
【図４】
2008213191.tif 000006
【図５】
2008213191.tif 000007
【図６】
2008213191.tif 000008
【図７】
2008213191.tif 000009